(57)【要約】本発明は、信号変調方法を提供している。陳述される方法が信号を送信するパルス波形を生成し、前記パルス波形の広さは2019526200.tif 000131であり、その中、各パルス波形はｎ個の符号（ｎ＞１）と関連し、各符号の広さは2019526200.tif 000132，2019526200.tif 000133であって、送信待ち符号ストリームの中の各連続ｎ個符号と前記パルス波形を所定の演算方法で演算し、符号と前記パルス波形の関連信号を生成する、伝送チャンネルにより前記関連信号を送信することを含むことを特徴とする。本発明は、システムのスペクトル効率を向上し、符号間の相関性により相互制約を生成し、情報符号を多数の符号に拡散することで、信号のノイズ対抗と減衰対抗の能力を向上することに役立つ。【選択図】図１
2019526200.tif 000002
【特許請求の範囲】
【請求項１】
送信信号のパルス波形を生成し、前記パルス波形の広さは
2019526200.tif 000095
、各パルス波形はｎ個の符号と関連し、且つｎ＞１、各符号の広さは
2019526200.tif 000096
であって，
2019526200.tif 000097
、
送信待ち符号ストリームの中の各連続ｎ個符号と前記パルス波形を所定の演算方法で演算し、符号と前記パルス波形の関連信号を生成すること、を含むことを特徴とする信号変調方法。
【請求項２】
請求項１に記載の前記方法において、
前記所定の演算方法は畳み込み演算であり、送信待ち符号ストリームの中の各連続ｎ個符号と前記パルス波形を所定の演算方法で演算し、符号と前記パルス波形の関連信号を生成するステップは
畳み込み計算式
2019526200.tif 000098
により、前記送信待ち符号ストリームの中の各連続ｎ個符号と前記パルス波形の生成した関連信号を取得し、前記
2019526200.tif 000099
はｉ番目の符号を示し、ｉは整数で、前記
2019526200.tif 000100
はパルス波形関数で、前記
2019526200.tif 000101
を含むことを特徴とする、信号変調方法。
【請求項３】
請求項１に記載の前記方法において、
前記所定の演算方法は乗法演算であり、送信待ち符号ストリームの中の連続ｎ個符号と前記パルス波形を所定の演算方法で演算し、符号と前記パルス波形の関連信号を生成するステップは
乗法計算式
2019526200.tif 000102
により、前記送信待ち符号ストリームの中の連続ｎ個符号と前記パルス波形の生成した関連信号を取得し、前記
2019526200.tif 000103
はｉ番目の符号を示し、ｉは整数で、前記
2019526200.tif 000104
はパルス波形関数で、前記
2019526200.tif 000105
を含むことを特徴とする、信号変調方法。
【請求項４】
請求項３に記載の前記方法において、
前記符号
2019526200.tif 000106
は
2019526200.tif 000107
を示し、
2019526200.tif 000108
は振幅値、
2019526200.tif 000109
は角周波数、ｔは時間，
2019526200.tif 000110
は位相であり、前記符号ストリームの中の各連続ｎ個符号と前記パルス波形の生成した関連信号は
2019526200.tif 000111
であって、
2019526200.tif 000112
は関連信号の振幅値を示すことを特徴とする、信号変調方法。
【請求項５】
請求項１に記載の前記方法において、
前記所定の演算方法は、加算演算、減算演算、乗法演算又は所定の関数関係の演算を含むことを特徴とする、信号変調方法。
【請求項６】
送信信号のパルス波形を生成し、前記パルス波形の広さは
2019526200.tif 000113
で、各パルス波形はｎ個の符号と関連し、且つｎ＞１、各符号の広さは
2019526200.tif 000114
，
2019526200.tif 000115
であるパルス波形生成ユニットと、
送信待ち符号ストリームの中の各連続ｎ個符号と前記パルス波形を所定の演算方法で演算し、符号と前記パルス波形の関連信号を生成する演算ユニットと、を含むことを特徴とする信号変調装置。
【請求項７】
請求項６に記載の前記装置において、
前記所定の演算方式は畳み込み演算で、前記演算ユニットは具体的に、
畳み込み計算式
2019526200.tif 000116
により、前記送信待ち符号ストリームの中の各連続ｎ個符号と前記パルス波形の生成した関連信号を取得し、前記
2019526200.tif 000117
はｉ番目の符号で、ｉは整数、前記
2019526200.tif 000118
はパルス波形関数、前記
2019526200.tif 000119
に用いられることを特徴とする、信号変調装置。
【請求項８】
請求項６に記載の前記装置において、
前記所定の演算方法は乗法演算で、前記演算ユニットは具体的に、
乗法計算式
2019526200.tif 000120
により、前記送信待ち符号ストリームの中の各連続ｎ個符号と前記パルス波形の生成した関連信号を取得し、前記
2019526200.tif 000121
はｉ番目の符号で、ｉは整数，前記
2019526200.tif 000122
はパルス波形関数、前記
2019526200.tif 000123
に用いられることを特徴とする、信号変調装置。
【請求項９】
請求項８に記載の前記装置において、
前記符号
2019526200.tif 000124
は
2019526200.tif 000125
を示し、
2019526200.tif 000126
は振幅値、
2019526200.tif 000127
は角周波数、ｔは時間，
2019526200.tif 000128
は位相、前記符号ストリームの中の各連続ｎ個符号と前記パルス波形の生成した関連信号は
2019526200.tif 000129
であって、
2019526200.tif 000130
は関連信号の振幅値を示すことを特徴とする、信号変調装置。
【請求項１０】
請求項６に記載の前記装置において、
前記所定の演算方式は加算演算、減算演算、乗法演算或いは所定の関数関係の演算を含むことを特徴とする、信号変調装置。
【発明の詳細な説明】
【技術分野】
【０００１】
本発明は通信分野であり、特に信号変調方法及び装置に関わっている。
【背景技術】
【０００２】
通信システムでは、コード間（又は符号）干渉（Ｉｎｔｅｒ  ｓｙｍｂｏｌ  Ｉｎｔｅｒｆｅｒｅｎｃｅ，ＩＳＩ）はシステム性能を影響する肝心な要素の一つである。コード間干渉を避けるために、通信分野でＩＳＩを避けるナイキスト準則を提示し、そしてナイキスト準則を満足するレイズドコサインフィルタを提示している。現在、ＩＳＩ伝送無しのナイキスト準則は、通信システム設計の指導的準則の一つとなっている。
【０００３】
ナイキスト準則が有効的にＩＳＩコード間干渉を避け、テスト複雑度を下げるが、ナイキストシステムでは、ナイキスト準則を満足するために、過剰帯域幅を導入せざるを得ず、スペクトル効率を下げてしまう、且つ、現在良く使われている通信変調方法では、符号ごとに単独送信する時に、ＩＳＩコード間干渉がないが、伝送されるコードの間はエンコード制約関係がないため、信号のノイズ対抗と減衰対抗の能力向上にはとても不利である。
【発明の概要】
【０００４】
本発明の目的は、信号変調方法和装置を提供することで、現有技術の信号変調方法での過剰帯域幅導入により、スペクトル効率が下がり、信号のノイズ対抗と減衰対抗の能力向上に対する不利な問題を解決する。
【０００５】
第一方面としては、本発明の実施例は信号変調方法を提供している。前記方法は下記を含む：
送信信号のパルス波形を生成し、前記パルス波形の広さは
2019526200.tif 000003
【０００６】
、各パルス波形はｎ個の符号と関連し、且つｎ＞１、各符号の広さは
2019526200.tif 000004
【０００７】
であって，
2019526200.tif 000005
【０００８】
、
送信待ち符号ストリームの中の各連続ｎ個符号と前記パルス波形を所定の演算方法で演算し、符号と前記パルス波形の関連信号を生成する。
【０００９】
第一方面と結び合わせ、第一方面の第一種類の実現可能な方法の中では、前記所定の演算方法は畳み込み演算で、前記送信待ち符号ストリームの中の各連続ｎ個符号と前記パルス波形を所定の演算方法で演算し、符号と前記パルス波形の関連信号を生成するステップは、下記を含み、
畳み込み計算式
2019526200.tif 000006
【００１０】
により、前記送信待ち符号ストリームの中の各連続ｎ個符号と前記パルス波形の生成した関連信号を取得する。前記
2019526200.tif 000007
【００１１】
はｉ番目の符号、ｉは整数、前記
2019526200.tif 000008
【００１２】
はパルス波形関数であり、
2019526200.tif 000009
【００１３】
と示されてもいい。ｎは関連の符号個数で、各符号の間隔は
2019526200.tif 000010
【００１４】
。
【００１５】
第一方面と結び合わせ、第一方面の第二種類の実現可能な方法の中では、前記所定の演算方法は乗法演算で、前記送信待ち符号ストリームの中の各連続ｎ個符号と前記パルス波形を所定の演算方法で演算し、符号と前記パルス波形の関連信号を生成するステップは、下記を含み、
乗法計算式
2019526200.tif 000011
【００１６】
により、前記送信待ち符号ストリームの中の各連続ｎ個符号と前記パルス波形の生成した関連信号を取得する。その中：前記
2019526200.tif 000012
【００１７】
はｉ番目の符号、前記
2019526200.tif 000013
【００１８】
はパルス波形関数であり、
2019526200.tif 000014
【００１９】
と示されてもいい。ｎは関連の符号個数である。
【００２０】
第一方面の第二種類の実現可能な方法と結び合わせ、第一方面の第三種類の実現可能な方法の中では、前記符号
2019526200.tif 000015
【００２１】
は
2019526200.tif 000016
【００２２】
、
2019526200.tif 000017
【００２３】
は振幅値、
2019526200.tif 000018
【００２４】
は角周波数、ｔは時間、
2019526200.tif 000019
【００２５】
は位相である。前記符号ストリームの中の各連続ｎ個符号と前記パルス波形の生成した関連信号は
2019526200.tif 000020
【００２６】
、
2019526200.tif 000021
【００２７】
は関連信号の振幅値を示す。
【００２８】
第一方面と結び合わせ、第一方面の第四種類の実現可能な方法の中では、前記所定の演算方法は加算演算、減算演算、乗法演算又は所定の関数関係の演算を含む。
【００２９】
第二方面としては、本発明の実施例は信号変調装置を提供している。前記装置は下記を含み、
パルス波形生成ユニットは、送信信号のパルス波形を生成することに使われる。前記パルス波形の広さは
2019526200.tif 000022
【００３０】
、その中、各パルス波形はｎ個の符号（ｎ＞１）と関連し、各符号の広さは
2019526200.tif 000023
【００３１】
，
2019526200.tif 000024
【００３２】
、
演算ユニットは、送信待ち符号ストリームの中の各連続ｎ個符号と前記パルス波形を所定の演算方法で演算し、符号と前記パルス波形の関連信号を生成することに使われる。
【００３３】
第二方面と結び合わせ、第二方面の第一種類の実現可能な方法では、前記所定の演算方法は畳み込み演算である。前記演算ユニットは具体的に下記に使われ、
畳み込み計算式
2019526200.tif 000025
【００３４】
により、前記送信待ち符号ストリームの中の各連続ｎ個符号と前記パルス波形の生成した関連信号を取得する。その中：前記
2019526200.tif 000026
【００３５】
はｉ番目の符号、前記
2019526200.tif 000027
【００３６】
はパルス波形関数で、
2019526200.tif 000028
【００３７】
と示されてもいい。ｎは関連する符号の個数を示す。
【００３８】
第二方面と結び合わせ、第二方面の第二種類の実現可能な方法では、前記所定の演算方法は乗法演算である。前記演算ユニットは具体的に下記に使われ、
乗法計算式
2019526200.tif 000029
【００３９】
により前記送信待ち符号ストリームの中の各連続ｎ個符号と前記パルス波形の生成した関連信号を取得する。その中：前記
2019526200.tif 000030
【００４０】
はｉ番目の符号、前記
2019526200.tif 000031
【００４１】
はパルス波形関数で、
2019526200.tif 000032
【００４２】
と示されてもいい。ｎは関連する符号の個数を示す。
【００４３】
第二方面の第二種類の実現可能な方法と結び合わせ、第二方面の第三種類の実現可能な方法では、前記符号
2019526200.tif 000033
【００４４】
は
2019526200.tif 000034
【００４５】
である。
2019526200.tif 000035
【００４６】
は振幅値、
2019526200.tif 000036
【００４７】
は角周波数、
2019526200.tif 000037
【００４８】
は位相である。前記符号ストリームの中の各連続ｎ個符号と前記パルス波形の生成した関連信号は
2019526200.tif 000038
【００４９】
、
2019526200.tif 000039
【００５０】
は関連信号の振幅値を示す。
【００５１】
第二方面と結び合わせ、第二方面の第四種類の実現可能な方法では、前記所定の演算方法は、加算演算、減算演算、乗法演算又は所定の関数関係の演算を含む。
【００５２】
本発明では、ｎ個符号の広さを含むパルス波形を生成することで、前記パルス波形と連続ｎ個符号を所定の演算方法で演算することにより、生成した関連信号では、符号広さごとの符号がｎ個符号の情報を含み、符号広さごとの時間内に伝送される符号数を増やし、システムのスペクトル効率を上げることに役立ち、そして符号間の相関性により相互制約を生成し、情報符号を多数の符号に拡散し、信号のノイズ対抗と減衰対抗の能力向上に役立つ。
【図面の簡単な説明】
【００５３】
【図１】図１は、本発明の実施例により提供される信号変調方法の実現フローチャートである。
【図２】図２は、本発明の実施例での前記パルス波形の概略図である。
【図３】図３は、現有技術での変調後ＩＳＩ無しの信号波形の概略図である。
【図４】図４は、本発明の第一実施例により提供される信号変調方法の実現フローチャートである。
【図５】図５は、本発明の第一実施例により提供される畳み込み演算モデルの概略図である。
【図６】図６は、本発明の第一実施例により提供される畳み込み演算後の信号波形図である。
【図７】図７は、本発明の第二実施例により提供される信号変調方法の実現フローチャートである。
【図８】図８は、本発明の第二実施例により提供される乗法演算のモデル図である。
【図９】図９は、本発明の第三実施例により提供される信号変調装置の構成概略図である。
【発明を実施するための形態】
【００５４】
本発明の目的、技術案及びメリットが分かるように、下記から附図と実施例と結び合わせ、本発明に対し詳しい説明を行う。ここで説明される具体的な実施例は本発明の説明のみであり、本発明を限定するものではないと理解すべきである。
【００５５】
本発明の目的は、信号変調方法和装置を提供することで、現有技術で信号を変調する時に、システム伝送の正確率を上げるために、コード間干渉を避けることのシステム伝送に対する影響を解決することである。通常はナイキスト準則を使い、ナイキスト準則を満足するレイズドコサインフィルタの方法と結び合わせる。ナイキスト準則を使い、ナイキスト準則を満足するレイズドコサインフィルタの方法と結び合わせることは、有効的にコード間干渉ＩＳＩを避け、テスト複雑度を下げることができるが、当該準則の使用は下記のような問題が存在している：
まず、ナイキストシステムは、スペクトル効率を損失することが最大の欠陥である。いかなる物理的に実現できるパルス波形でも、ナイキスト準則を満足するために、過剰な帯域幅を導入せざるを得ず、スペクトル効率を下げてしまう。
【００５６】
次、ナイキストシステムは、コード間干渉ＩＳＩが設計ターゲットとなることを避けるために、有効的にテスト複雑度を下げたが、各符号は独立送信なので、各符号の間は関連がないことは、信号のノイズ対抗と減衰対抗の能力向上にはとても不利である。
【００５７】
前記問題を解決し、十分にスペクトルソースを利用するために、本発明はすべての通信システムに応用される変調方法を提示している。エンコードと変調を結び合わせ、加算・減算・情報又はその他関数モデルを含める実現できるすべての数学モデルにより、符号間の相互制約を形成することで、形成される通信システムが高い符号伝送レート、狭いシステム帯域幅、高いスペクトル効率の効果を備えるようにする。同時に、符号間自身のエンコード制約関係により、信号のノイズ対抗と減衰対抗の能力が向上される。下記から附図と結び合わせ具体的に説明を行う。
【００５８】
図１は、本発明の実施例により提供される信号変調方法の実現フローチャートである。詳細は下記通り：
ステップＳ１０１では、送信信号のパルス波形を生成し、前記パルス波形の広さは
2019526200.tif 000040
【００５９】
、その中、各パルス波形はｎ個の符号（ｎ＞１）と関連し、各符号の広さは
2019526200.tif 000041
【００６０】
，
2019526200.tif 000042
【００６１】
。
【００６２】
本発明の実施例の前記変調方法は、すべてのドメインに適用できる。例えば時間ドメイン、周波数ドメイン、コードドメインなど。
【００６３】
具体的に言えば、図２は本発明の実施例の前記パルス波形の概略図である。図２のように、パルス波形ｈ（ｔ）の広さは
2019526200.tif 000043
【００６４】
、その中、各パルス波形はｎ個の符号（ｎ＞１）と関連し、各符号の広さは
2019526200.tif 000044
【００６５】
，
2019526200.tif 000045
【００６６】
、伝統の変調方法では、ｎは１、一つのパルス波形の中で一つの符号しか送信できない。連続する独立の符号は伝送チャンネルで送信される。図３は、現有技術でよく見られる変調後ＩＳＩ無しの信号波形の概略図である。その中、Ｎはデータフレームの含む符号個数である。現有技術での波形変調プロセスでは、ナイキスト準則を満足するために、過剰な帯域幅を導入せざるを得ない。
【００６７】
過剰帯域幅が出ることを避けるために、本発明の実施例は送信信号のパルス波形を生成し、且つ前記パルスの広さが幾つかの符号広さの総和とする。符号の個数はユーザの変調需要により柔軟に選べる。選ばれる符号の個数ｎが大きいほど、同じパルス波形の中で送信される符号の個数も多くなり、スペクトル効率が高くなる。スペクトル効率が高いほど、同じ符号広さに、関連する符号の個数が多い。
【００６８】
ステップＳ１０２では、送信待ち符号ストリームの各連続ｎ個符号と前記パルス波形を、所定の演算方法で演算し、符号と前記パルス波形の関連信号を生成する。
【００６９】
本発明の実施例では、前記所定の演算方法は畳み込み演算、加算演算、減算演算、乗法演算又はその他関数演算の方法を含む。
【００７０】
その中、前記送信待ち符号ストリームの各連続ｎ個符号は、具体的に言えば、送信待ち符号ストリームの中で、符号ストリームの１番目の位置から変調・エンコードを行い、符号ストリームの１番目からｎ番目までの符号とパルス波形を選び変調を行い、２番目からｎ＋１番目までの符号とパルス波形を選び変調関連演算を行う。これにより類推すし、データフレームの最後の符号まで行われる。
【００７１】
連続ｎ個信号とパルス波形を選び変調を行うことで、受信側が信号を復調する時に、連続する符号ストリームデータを得る。
【００７２】
現有技術と異なるのは、本発明がｎ個符号広さを含むパルス波形を選ぶ後、それと相応し各連続ｎ個符号と前記パルス波形を選び変調演算を行い、ｎ個符号情報の関連信号を得ることである。
【００７３】
符号ストリームの中のすべての符号データに対し、符号ストリームにある符号番号により、ｎ個符号ごとに一つのパルス波形と変調し、符号ストリームの中のすべての符号データの変調を完成できる。
【００７４】
より良い一種類の実施方法では、前記方法はさらにステップＳ１０３を含み、伝送チャンネルにより前記関連信号を送信する。
【００７５】
符号ストリームの中の連続ｎ個符号と前記パルス波形を変調する後、ｎ個符号と前記パルス波形の生成する関連信号を取得できる。送信待ち符号ストリームの連続変調により、前記関連信号を受信側に送信し、受信側が各パルス波形の関連信号を復調することで、送信される符号データを取得できる。
【００７６】
本発明は所定の演算モデルにより、送信待ち符号を多数の符号に拡散し（同じパルス波形の中の符号）、これら符号の間に関連と制約関係を発生させることで、信号のノイズ対抗と減衰対抗の能力向上に役立ち、同じパルス波形で多数の符号を送信することで、スペクトルの利用効率向上に役立つ。
【００７７】
実施例一：
図４は、本発明の第一実施例により提供される畳み込み演算モデルによる信号変調方法の実現フローチャートである。詳細は下記通り：
ステップＳ４０１では、送信信号のパルス波形を生成する。前記パルス波形の広さは
2019526200.tif 000046
【００７８】
、その中、各パルス波形はｎ個符号（ｎ＞１）と関連し、各符号の広さは
2019526200.tif 000047
【００７９】
，
2019526200.tif 000048
【００８０】
。
【００８１】
前記パルス波形は図２に示されている。
【００８２】
ステップＳ４０２では、畳み込み計算式
2019526200.tif 000049
【００８３】
により前記送信待ち符号ストリームの中の各連続ｎ個符号と前記パルス波形の生成した関連信号を取得する。その中：前記
2019526200.tif 000050
【００８４】
はｉ番目の符号で、前記
2019526200.tif 000051
【００８５】
はパルス波形関数で、
2019526200.tif 000052
【００８６】
と示されてもいい。ｎは関連する符号の個数、各符号の間隔は
2019526200.tif 000053
【００８７】
。
【００８８】
送信待ち符号ストリームＳとパルス波形ｈの畳み込み演算を行う。畳み込み演算のモデルは図５通りであり、各連続ｎ個符号とパルス波形の畳み込みプロセスは下記通りである：
2019526200.tif 000054
【００８９】
、即ち、加算演算により符号ごとに異なる係数を掛け、符号間を加算し符号間の相関性を実現することで、符号間の畳み込みを本当に完成している。
【００９０】
ステップＳ４０３では、伝送チャンネルにより前記関連信号を送信する。
【００９１】
畳み込み演算後の信号波形図は附図６のようである。その中、Ｎはデータフレームの含む符号個数を示し、各符号広さ
2019526200.tif 000055
【００９２】
には実際にｎ個符号の情報を含み、即ち符号の相関性を実現している。同時に、各符号広さ
2019526200.tif 000056
【００９３】
の伝送符号数が多くなるので、システム全体の伝送レートが早くなる。符号間の相互関連はシステムの帯域幅を拡張しないだけでなく、ナイキスト伝送システムと比べ、本発明の実施例の前記符号間の相互関連は過剰帯域幅の問題が存在しない。そのシステムの帯域幅はパルス波形の帯域幅としか関わっていない。また、エンコードの角度から言えば、エンコードの実質は符号の拡散であり、符号間の相関性により相互制約の関係を生成し、情報符号を多数のコード符号に拡散していくことが、信号のノイズ対抗と減衰対抗の能力向上に役立つ。
【００９４】
実施例二：
図７は、本発明の第二実施例により提供される乗法演算モデルによる信号変調方法の実現フローチャートである。詳細は下記通り：
ステップＳ７０１では、送信信号のパルス波形を生成する。前記パルス波形の広さは
2019526200.tif 000057
【００９５】
、その中、各パルス波形はｎ個符号（ｎは１以上の整数）と関連し、各符号の広さは
2019526200.tif 000058
【００９６】
，
2019526200.tif 000059
【００９７】
。
【００９８】
ステップＳ７０２では、乗法計算式
2019526200.tif 000060
【００９９】
により、前記送信待ち符号ストリームの中の各連続ｎ個符号と前記パルス波形の生成した関連信号を取得する。その中：前記
2019526200.tif 000061
【０１００】
はｉ番目の符号、前記
2019526200.tif 000062
【０１０１】
はパルス波形関数であり、
2019526200.tif 000063
【０１０２】
と示されてもいい。各符号の間隔は
2019526200.tif 000064
【０１０３】
。
【０１０４】
送信待ち符号ストリーム
2019526200.tif 000065
【０１０５】
とパルス波形ｈの乗法演算を行う。乗法演算のモデルは図８のようである。各連続ｎ個符号とパルス波形の掛け算プロセスは下記通り：
2019526200.tif 000066
【０１０６】
。仮に各符号は
2019526200.tif 000067
【０１０７】
と示されると、その中、
2019526200.tif 000068
【０１０８】
は振幅値、
2019526200.tif 000069
【０１０９】
は角周波数、
2019526200.tif 000070
【０１１０】
は位相であり、各符号を掛け合わせる後の結果は
2019526200.tif 000071
【０１１１】
と示される。
2019526200.tif 000072
【０１１２】
は関連信号の振幅値で、即ち乗法演算により、符号間の相関性を実現しただけでなく、位相ドメインの相関性をも実現している。
【０１１３】
ステップＳ７０３では、伝送チャンネルにより前記関連信号を送信する。
【０１１４】
乗法演算後に得た各符号広さ
2019526200.tif 000073
【０１１５】
には実際にｎ個符号の情報を含み、符号間の相関性を実現している。同時に、各符号広さ
2019526200.tif 000074
【０１１６】
に伝送される符号数が多くなるので、システム全体の伝送レートが早くなる。また、エンコードの角度から言えば、エンコードの実質は符号の拡散であり、符号間の相関性により相互制約の関係を生成し、情報符号を多数のコード符号に拡散していくことが、信号のノイズ対抗と減衰対抗の能力向上に役立つ。
【０１１７】
実施例三：
図９は、本発明の第三実施例により提供される信号変調装置の構成概略図である。詳細は下記通り、
本発明の実施例の前記信号変調装置は、下記を含み、
パルス波形生成ユニット９０１は、送信信号のパルス波形を生成することに使われる。前記パルス波形の広さは
2019526200.tif 000075
【０１１８】
、その中、各パルス波形はｎ個の符号（ｎ＞１）と関連し、各符号の広さは
2019526200.tif 000076
【０１１９】
、
2019526200.tif 000077
【０１２０】
、
演算ユニット９０２は、送信待ち符号ストリームの中の各連続ｎ個符号と前記パルス波形を所定の演算方法で演算し、符号と前記パルス波形の関連信号を生成することに使われる；
送信ユニット９０３は、伝送チャンネルにより前記関連信号を送信することに使われる。
【０１２１】
より良いやり方とし、前記所定の演算方法は畳み込み演算である。前記演算ユニットは具体的に下記に使われる：
畳み込み計算式
2019526200.tif 000078
【０１２２】
により、前記送信待ち符号ストリームの中の各連続ｎ個符号と前記パルス波形の生成した関連信号を取得する。その中：前記
2019526200.tif 000079
【０１２３】
はｉ番目の符号、前記
2019526200.tif 000080
【０１２４】
はパルス波形関数である。
2019526200.tif 000081
【０１２５】
と示されてもいい。ｎは関連する符号の個数、各符号の間隔は
2019526200.tif 000082
【０１２６】
である。
【０１２７】
より良いやり方とし、前記所定の演算方法は乗法演算である。前記演算ユニットは具体的に下記に使われる：
乗法計算式
2019526200.tif 000083
【０１２８】
により、前記送信待ち符号ストリームの中の各連続ｎ個符号と前記パルス波形の生成した関連信号を取得する。その中：前記
2019526200.tif 000084
【０１２９】
はｉ番目の符号、前記
2019526200.tif 000085
【０１３０】
はパルス波形関数である。
2019526200.tif 000086
【０１３１】
と示されてもいい。ｎは関連する符号の個数、各符号の間隔は
2019526200.tif 000087
【０１３２】
である。
【０１３３】
より良いやり方とし、前記符号
2019526200.tif 000088
【０１３４】
は
2019526200.tif 000089
【０１３５】
と示され、その中、
2019526200.tif 000090
【０１３６】
は振幅値、
2019526200.tif 000091
【０１３７】
は角周波数、
2019526200.tif 000092
【０１３８】
は位相である。前記符号ストリームの中の各連続ｎ個符号と前記パルス波形の生成した関連信号は
2019526200.tif 000093
【０１３９】
、
2019526200.tif 000094
【０１４０】
は関連信号の振幅値である。
【０１４１】
より良いやり方とし、前記所定の演算方法は、加算演算、減算演算、乗法演算又は所定の関数関係の演算を含む。
【０１４２】
本発明の実施例の前記信号変調装置は、前記信号変調方法と対応する。ここで重複に説明しない。
【０１４３】
本発明により提供される幾つかの実施例では、開示される装置と方法がほかの方法で実現できると理解すべきである。例えば、以上に説明される装置の実施例は例示的なものである。例えば、前記ユニットの区分はロジック機能の区分のみで、実際に実現する時はほかの区分方法があってもいい。例えば、多数のユニットか構成部品は組み合わせにするか、もう一個のシステムに集積するか、或いは一部の特徴は無視できるか、実行しないようにするなど。もう一点としては、表示又は検討をしている相互カップリングや直接カップリングや通信接続は、インターフェースや装置、ユニットの間接カップリング又は通信接続によってもいい。電気的、機械的又はほかの形式でもいい。
【０１４４】
上記には分離部品として説明されるユニットは、物理的に分離しなくてもいい。ユニットとして表示される部品は、物理的なユニットでなくてもよく、一箇所にあるか、何箇所のネットユニットに分布してもいい。実際の需要によりユニットの中の一部か全部を選び、本実施例方案の目的を実現してもいい。
【０１４５】
また、本発明の各実施例では、各機能ユニットは一つの処理ユニットに集中するか、各ユニットは単独の物理存在とするか、或いは二つか二つ以上のユニットは一つのユニットに集積してもいい。前記集積ユニットは、ハードウエアで実現するか、或いはソフトウエア機能ユニットで実現してもいい。
【０１４６】
前記集積ユニットはソフトウエア機能ユニットで実現し、独立の製品とし販売か使用をする場合は、パソコン読取可能な保存媒質に保存してもいい。このような理解に基づき、本発明の技術案の実質、或いは現有技術に貢献する部分又は当該技術案の全部や一部は、ソフトウエア製品の形式で体現できる。当該パソコンソフト製品は保存媒質に保存され、若干コマンドを含むことで、コンピュータ設備（パソコン、サーバー又はネット設備等）により本発明の各実施例の前記方法の一部か全部を実行できる。前記保存媒質は、Ｕディスク、モバイルディスク、読取専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又はＣＤなどプログラムコードを保存できる媒質を含む。
【０１４７】
上記は本発明のより良い実施例のみであり、本発明を制限することに使われない。本発明の趣旨と原則内に行われるいかなる修正、同等代替や改善などは、本発明の保護範囲内に含まれるべきである。
【図１】
2019526200.tif 000134
【図２】
2019526200.tif 000135
【図３】
2019526200.tif 000136
【図４】
2019526200.tif 000137
【図５】
2019526200.tif 000138
【図６】
2019526200.tif 000139
【図７】
2019526200.tif 000140
【図８】
2019526200.tif 000141
【図９】
2019526200.tif 000142
【国際調査報告】
2019526200.tif 000143
2019526200.tif 000144
2019526200.tif 000145
2019526200.tif 000146